(57)【要約】      （修正有）【課題】異なる搭乗方向を有する体感装置を提供する。【解決手段】本考案の異なる搭乗方向を有する体感装置は、ベースユニット３１と、アクチュエーターユニット３２と、プラットフォームユニット３３と、シートユニット３４を含み、ベースユニットがベース座体３１１を含み、アクチュエーターユニットが、ベース座体に設置されたアクチュエーターモジュール３２１を含み、プラットフォームユニットが、アクチュエーターモジュールに設置されたプラットフォーム座体３３１を含み、シートユニットがプラットフォーム座体の辺縁に設置された複数のシート座体３４１を含み、そのうち、複数のシート座体の設置方向が異なり、複数のシート座体に異なる体感を提供させる。【選択図】図２
0003217970.tif 000002
【実用新案登録請求の範囲】
【請求項１】
異なる搭乗方向を有する体感装置であって、
ベース座体を含むベースユニットと、
該ベース座体に設置されたアクチュエーターモジュールを含むアクチュエーターユニットと、
該アクチュエーターモジュールに設置されたプラットフォーム座体を含むプラットフォームユニットと、
該プラットフォーム座体の辺縁に設置された複数のシート座体を含み、そのうち、該複数のシート座体の設置方向が異なるシートユニットと、
を含むことを特徴とする、異なる搭乗方向を有する体感装置。
【請求項２】
前記プラットフォーム座体が円形を呈し、該複数のシート座体が該プラットフォーム座体の接線上にそれぞれ設置されたことを特徴とする、請求項１に記載の異なる搭乗方向を有する体感装置。
【請求項３】
前記プラットフォーム座体が多辺形を呈し、該複数のシート座体が該プラットフォーム座体の辺上にそれぞれ設置されたことを特徴とする、請求項１に記載の異なる搭乗方向を有する体感装置。
【請求項４】
前記複数のシート座体が相互にその長手方向に間を隔て、隣り合わせに配置されたことを特徴とする、請求項１に記載の異なる搭乗方向を有する体感装置。
【請求項５】
前記アクチュエーターモジュールが六軸スチュワートアクチュエーターモジュールであることを特徴とする、請求項１に記載の異なる搭乗方向を有する体感装置。
【請求項６】
さらに位置調整ユニットを含み、該位置調整ユニットが、該複数のシート座体と該プラットフォーム座体の間にそれぞれ設置された複数の位置調整モジュールを含み、該複数のシート座体の位置をそれぞれ調整するために用いられることを特徴とする、請求項１に記載の異なる搭乗方向を有する体感装置。
【請求項７】
前記シートユニットがさらに、該シート座体に設置された保護部材を含むことを特徴とする、請求項１に記載の異なる搭乗方向を有する体感装置。
【請求項８】
さらにコントロールユニットを含み、該コントロールユニットが、該アクチュエーターモジュールに電気的に接続された制御モジュールと、該制御モジュールに電気的に接続された音響映像モジュールを含むことを特徴とする、請求項１に記載の異なる搭乗方向を有する体感装置。
【請求項９】
前記音響映像モジュールが、複数の音響映像プレイヤー部材から構成されることを特徴とする、請求項８に記載の異なる搭乗方向を有する体感装置。
【請求項１０】
前記音響映像モジュールが、異なる映像音響データを保存するために用いる複数のメモリ部材を備え、該複数の音響映像プレイヤー部材に異なる映像を再生させることを特徴とする、請求項９に記載の異なる搭乗方向を有する体感装置。
【考案の詳細な説明】
【技術分野】
【０００１】
本考案は体感装置に関し、特に、異なる搭乗方向を有する体感装置に関する。
【背景技術】
【０００２】
一般的な遊園地には通常２つのタイプの遊戯施設があり、１つは実際に体感する遊戯施設で、例えばジェットコースターは利用者に速度と重力加速度（Ｇ−Ｆｏｒｃｅ）の刺激を感じさせることができる。もう１つは体感を仮想的に模擬した遊戯施設であり、映像と音の感覚を効果的に利用し、動態プラットフォームの揺動を組み合わせ、体感効果を仮想的にシミュレーションする。
【０００３】
一般的な動態シミュレーション装置は、前方に映像設備が設置され、かつ音響設備を組み合わせ、動態映像を再生するために用いられる。動態シミュレーション装置は角度を変えられるプラットフォームを提供し、観衆に搭乗させ、映像コンテンツを組み合わせて駆動装置を制御し、プラットフォーム及びその上の座席に前後、上下、俯仰、回転等の多方向の自由度運動をさせることで、観衆にその場面に身を置いているかのように感じさせ、映像の場景に没入させる効果を備えている。
【０００４】
図１に台湾特許第Ｍ４８４４５０号の動態シミュレーション装置を示す。この動態シミュレーション装置はベース１１と、プラットフォーム１２と、該ベース１１と該プラットフォーム１２の間に設置されたアクチュエーター部材１３を含む。該アクチュエーター部材１３は該プラットフォーム１２の位置を制御し、該プラットフォーム１２を該ベース１１に相対して揺動させる。
【０００５】
該プラットフォーム１２上に複数の座席１４が設置され、それぞれ複数の利用者に搭乗させるために用いられ、該複数の座席１４の設置方向は同じであり、該複数の座席１４に搭乗している利用者の体感を一致させ、かつ該複数の利用者に同一の映像データを接受させるために用いられる。
【０００６】
上述の動態シミュレーション装置は体感シミュレーションの効果を提供するが、実際の実施時にはまだ次のような欠点が存在する。
【０００７】
一、設置場所が限られる：
該複数の座席そのものが高さを備えており、また利用者が出入りする高さを確保する必要もあり、該複数の座席の設置位置は該プラットフォーム上で、さらに該アクチュエーター部材の高さも加わるため、従来の動態シミュレーション装置の設置場所は天井の高さが比較的高く、一般の階層に設置することができず、設置場所が限られる。
【０００８】
二、収入を増加できない：
該複数の座席の設置方向が同じで、該複数の座席に搭乗する利用者が同じ映像データを見ることができるようにしており、利用者は遊戯施設を通常一回消費するだけであるため、収入を増加することができない。
【０００９】
三、体感効果のリアリティが低い：
早期のスチュワート(Ｓｔｅｗａｒｔ)プラットフォームは飛行機の操縦を訓練するために使用する装置であり、一人の体感で運用し、映像データを組み合わせて適用されるが、遊戯施設は収入を増加するために、プラットフォーム上に複数の座席を設置して売上を増加する。しかしながら、座席に搭乗する利用者は位置が異なるために、該アクチュエーター部材が前傾(Ｐｉｔｃｈ)を実行すると、前方に搭乗している利用者は下降する前傾を体感するが、後方に搭乗している利用者は上昇を体感することになるため、体感効果と映像表現に誤差が生じる。
【００１０】
このため、いかに限られた空間でよりよい体感を提供し、かつ異なる映像音声を提供して、売上を増加するかが、関連技術者の努力が必要な目標となっている。
【先行技術文献】
【特許文献】
【００１１】
【特許文献１】台湾特許第Ｍ４８４４５０号明細書
【考案の概要】
【考案が解決しようとする課題】
【００１２】
これに鑑み、本考案の目的は、異なる搭乗方向を有する体感装置を提供することにある。
【課題を解決するための手段】
【００１３】
本考案の異なる搭乗方向を有する体感装置は、ベースユニットと、アクチュエーターユニットと、プラットフォームユニットと、シートユニットを含み、
該ベースユニットがベース座体を含み、
該アクチュエーターユニットが、該ベース座体に設置されたアクチュエーターモジュールを含み、
該プラットフォームユニットが、該アクチュエーターモジュールに設置されたプラットフォーム座体を含み、
該シートユニットが該プラットフォーム座体の辺縁に設置された複数のシート座体を含み、そのうち、該複数のシート座体の設置方向が異なる。
【００１４】
本考案の一実施態様において、上述のプラットフォーム座体が円形を呈し、該複数のシート座体が該プラットフォーム座体の接線上にそれぞれ設置される。
【００１５】
本考案の別の実施態様において、上述のプラットフォーム座体が多辺形を呈し、該複数のシート座体が該プラットフォーム座体の辺上にそれぞれ設置される。
【００１６】
本考案のさらに別の実施態様において、上述の複数のシート座体がその長手方向に相互に間を隔てて隣り合わせに設置される。
【００１７】
本考案のまた別の実施態様において、上述のアクチュエーターモジュールが六軸スチュワートアクチュエーター部材である。
【００１８】
本考案の別の実施態様において、上述の異なる搭乗方向を有する体感装置がさらに位置調整ユニットを含み、該位置調整ユニットが、該複数のシート座体と該プラットフォーム座体の間にそれぞれ設置された複数の位置調整モジュールを含み、該複数のシート座体の位置をそれぞれ調整するために用いられる。
【００１９】
本考案のさらに別の実施態様において、上述のシートユニットがさらに該シート座体に設置された保護部材を含む。
【００２０】
本考案のまた別の実施態様において、上述の異なる搭乗方向を有する体感装置がさらにコントロールユニットを含み、該コントロールユニットが、該アクチュエーターモジュールに電気的に接続された制御モジュールと、該制御モジュールに電気的に接続された音響映像モジュールを含む。
【００２１】
本考案の別の実施態様において、上述の音響映像モジュールが複数の音響映像プレイヤー部材で構成される。
【００２２】
本考案のさらに別の実施態様において、上述の音響映像モジュールが異なる映像データを保存するために用いられる複数のメモリ部材を備え、該複数の音響映像プレイヤー部材に異なる映像を再生させる。
【考案の効果】
【００２３】
本考案の有益な効果としては、該複数のシート座体の設置方向が異なり、該複数のシート座体に搭乗する利用者に異なる体感をさせるとともに、該複数のシート座体を該プラットフォーム座体の側に周設することで、高さを抑制した設置が可能であり、また該複数の音響映像モジュールが異なる映像データを提供し、該複数のシート座体に搭乗する利用者の体感を、接受する映像表現に適合させることができる。
【図面の簡単な説明】
【００２４】
【図１】台湾特許第Ｍ４８４４５０号の動態シミュレーション装置の側面図である。
【図２】本考案の異なる搭乗方向を有する体感装置の最良の実施例１の立体斜視図である。
【図３】本考案の異なる搭乗方向を有する体感装置の最良の実施例１の側面図である。
【図４】本考案の異なる搭乗方向を有する体感装置の最良の実施例のコントロールユニットのブロック図である。
【図５】本考案の異なる搭乗方向を有する体感装置の最良の実施例２の側面図である。
【図６】本考案の異なる搭乗方向を有する体感装置の最良の実施例３の俯瞰図である。
【考案を実施するための形態】
【００２５】
本考案の特色と技術内容についてはっきりと示すため、以下図面と３つの最良の実施例を組み合わせ、詳細に説明する。詳細な説明に入る前に、類似した部材は同じ番号で表示されている点に注意が必要である。
【実施例１】
【００２６】
図２、３、４に示すように、本考案の異なる搭乗方向を有する体感装置の最良の実施例１は、ベースユニット３１と、アクチュエーターユニット３２と、プラットフォームユニット３３と、シートユニット３４と、コントロールユニット３６を含む。
【００２７】
該ベースユニット３１はベース座体３１１を含む。好ましくは、該ベース座体３１１は床面の金属構造に設置し、床面に固定して該アクチュエーターユニット３２を枢設し、該アクチュエーターユニット３２の作用力と重力を支持する。実際の実施時、該ベース座体３１１は回転盤構造またはレール構造上に設置することができるが、これらに限らない。
【００２８】
該アクチュエーターユニット３２は該ベース座体３１１に設置されたアクチュエーターモジュール３２１を含む。該最良の実施例１において、該アクチュエーターモジュール３２１は六軸スチュワートアクチュエーター部材であり、６組の線形アクチュエーターが該プラットフォームユニット３３の揺動角度を変化させ、体感シミュレーションを実行する。実際の実施時は、その他の体感アクチュエーターで該プラットフォームユニット３３の位置を揺動または移動させることができ、本最良の実施例で挙げた例に限らない。
【００２９】
該プラットフォームユニット３３は、該アクチュエーターモジュール３２１に設置されたプラットフォーム座体３３１を含み、そのうち、該プラットフォーム座体３３１は該アクチュエーターモジュール３２１の鋼梁構造に固定され、該アクチュエーターモジュール３２１は該プラットフォーム座体３３１の位置を制御し、該プラットフォーム座体３３１を該ベース座体３１１に対して揺動させる。
【００３０】
該プラットフォーム座体３３１は多辺形を呈し、該最良の実施例１において、該プラットフォーム座体３３１は正三角形であり、そのうち、六軸スチュワートを使用したアクチュエーターモジュール３２１と正三角形のプラットフォーム座体３３１の枢設点が該プラットフォーム座体３３１の三角形を呈する鋼梁構造の３辺の中点位置にあり、該アクチュエーターモジュールを相互に組み合わせ、該プラットフォーム座体３３１の揺動角度または移動位置を変化させることができる。実際の実施時、該プラットフォーム座体３３１は正三角形以外の多辺形とすることができ、これに限らない。
【００３１】
該シートユニット３４は該プラットフォーム座体３３１の辺縁に設置された複数のシート座体３４１を含み、該複数のシート座体３４１の設置方向が異なる。該最良の実施例１において、該プラットフォーム座体３３１は正三角形を呈し、該複数のシート座体３４１の数量は３つで、各シート座体３４１が該プラットフォーム座体３３１の辺縁にそれぞれ設置され、該複数のシート座体３４１は相互が長手方向に間を隔て、一定角度屈折させて、隣り合わせに配置される。さらに、相隣する２つのシート座体３４１が形成する挟角は６０度より小さくなく、該複数のシート座体３４１の組み合わせで三角形またはその他の多辺形が形成され、同じ１台の機構上における利用者数を増加し、かつ体感効果が失われない。
【００３２】
考案者が強調したいのは、該複数のシート座体３４１を該プラットフォーム座体３３１の辺縁に設置した後、揺動の中心から遠いときほど揺動の弧度がより激しくなる梃子の原理により、該アクチュエーターモジュール３２１が該プラットフォーム座体３３１を揺動させると、該複数のシート座体３４１の揺動効果が該プラットフォーム座体３３１の中心箇所より激しくなり、該複数のシート座体３４１により強烈な体感効果を提供することができる点である。
【００３３】
該複数のシート座体３４１は該プラットフォーム座体３３１の辺上の鋼梁にそれぞれ設置され、各シート座体３４１に少なくとも１人が搭乗できる。該最良の実施例１において、該シート座体３４１の幅は該プラットフォーム座体３３１の辺の長さとほぼ同じであり、複数の利用者に搭乗させることができる。
【００３４】
各シート座体３４１は利用者に着席させるための座板と背もたれを備え、該複数のシート座体３４１の設置方向が該利用者の座ったときの方向であり、該最良の実施例１において、該複数のシート座体３４１の設置方向は、該プラットフォーム座体３３１の中心方向と相反し、正三角形を呈するプラットフォーム座体３３１の鋼梁構造上、つまり該プラットフォーム座体３３１の辺上に固定される。
【００３５】
該コントロールユニット３６は該アクチュエーターモジュール３２１に電気的に接続された制御モジュール３６１と、該制御モジュール３６１に電気的に接続された音響映像モジュール３６２を含む。該音響映像モジュール３６２は複数の音響映像プレイヤー部材で構成され、それぞれ映像と音声を提供する。そのうち、該音響映像モジュール３６２は異なる映像データを保存するために用いられる複数のメモリ部材３６３を備え、該複数の音響映像プレイヤー部材に異なる映像を再生させる。
【００３６】
本考案の考案者が強調したいのは、該最良の実施例１のプラットフォーム座体３３１が正三角形を呈しており、該複数のシート座体３４１の設置方向が該プラットフォーム座体３３１の中心方向と相反し、該複数のシート座体３４１に座った利用者の視線方向が異なるため、該アクチュエーターモジュール３２１が該プラットフォーム座体３３１を制御して揺動を発生させたとき、各シート座体３４１が利用者に提供する体感効果が異なる点である。
【００３７】
六軸スチュワートプラットフォームの場合、該プラットフォーム座体３３１に前後のピッチ(Ｐｉｔｃｈ)、左右のヨー(Ｙａｗ)、左右のロール(Ｒｏｌｌ)、前後のサージ(Ｓｕｒｇｅ)、昇降のヒーヴ(Ｈｅａｖｅ)、左右のスウェイ(Ｓｗａｙ)の６つの自由度の体感効果を提供することができる。該複数のシート座体３４１に搭乗した利用者は異なる体感が得られ、例えば、そのうち１つのシート座体３４１が利用者に前傾の体感を提供するとき、その他のシート座体３４１は完全に相反する体感である後傾した仰けの体感を提供する。
【００３８】
このため、該音響映像モジュール３６２は各シート座体３４１に対して個別に映像データを用意して該複数のメモリ部材３６３に保存し、該複数のシート座体３４１に搭乗する利用者が異なる映像音響効果を得られるようにすることができる。
【００３９】
好ましくは、該体感装置の外囲に３６０度のパノラマスクリーンを設置して、複数の音響映像プレイヤー部材を使用して映像をパノラマスクリーン上に投影し、該複数のシート座体３４１に搭乗した利用者が体感と映像を相互に組み合わせた感覚を得られるようにすることができる。実際の実施時、該複数の音響映像プレイヤー部材は複数のヘッドマウントディスプレイ設備及びヘッドフォンを使用できるが、これらに限らない。
【実施例２】
【００４０】
図５に本考案の異なる搭乗方向を有する体感装置の最良の実施例２を示す。該最良の実施例２と該最良の実施例１はほぼ同じであり、同じ箇所についてはここでは説明を省略する。異なるのは、該複数のシート座体３４１が該プラットフォーム座体３３１の側辺、つまり該プラットフォーム座体３３１の外側に設置され、該体感装置全体の設置高さが低くなっている点である。
【００４１】
該最良の実施例２はさらに位置調整ユニット３５を含み、該位置調整ユニット３５が、該複数のシート座体３４１と該プラットフォーム座体３３１の間にそれぞれ設置された複数の位置調整モジュール３５１を含み、該複数のシート座体３４１の位置をそれぞれ調整するために用いられる。
【００４２】
そのうち、各位置調整モジュール３５１は高度調整部材と、横移動調整部材を備え、該高度調整部材は該複数のシート座体３４１の高さを調整でき、該横移動調整部材は該複数のシート座体３４１と該プラットフォーム座体３３１の中心の位置を調整することができる。好ましくは、該高度調整部材はスクリュー部材を使用し、該横移動調整部材はレール部材を使用できるが、実際の実施時はその他の位置調整構造を使用でき、これらに限らない。
【００４３】
該位置調整モジュール３５１で該シート座体３４１の位置を高く調整すると、該複数のシート座体３４１に搭乗した利用者の両足を宙に浮かせることができ、低く調整すると、利用者が便利に該シート座体３４１に着席することができる。該位置調整モジュール３５１で該シート座体３４１の位置を外側に向かって水平移動させると、梃子の原理の作用下で、該シート座体３４１に搭乗した利用者の体感がより強烈になる。
【００４４】
本考案の考案者が強調したいのは、該位置調整モジュール３５１は体感の制御に参与しておらず、該位置調整モジュール３５１は該シート座体３４１の位置を定位置に移動した後作動することはなく、該アクチュエーターモジュール３２１が仮想体感の制御をすべて担っており、該位置調整モジュール３５１は体感の制御に参与しない点である。
【００４５】
このほか、該最良の実施例２では該複数のシート座体３４１が該プラットフォーム座体３３１の側辺に設置されており、該位置調整モジュール３５１で該シート座体３４１の位置を下降させると、該複数のシート座体３４１の高さと該アクチュエーターモジュールの高さが一致し、該体感装置の設置高さを効果的に低くすることができる。これにより本考案の開示する体感装置は床面に直接設置して、利用者が床面で直接該シート座体３４１に乗り込むことができ、高い台を設置して利用者を搭乗させる必要がなく、或いは地下空間を設置して該アクチュエーターモジュール３２１を収容することもでき、屋内の限られた空間内での設置に適しており、建築物に対して改造を行う必要がない。
【００４６】
このほか、該シート座体３４１を該プラットフォーム座体３３１の外囲に設置したとき、梃子の原理に基づき、該複数のシート座体３４１の移動速度が速くなり、移動距離が増加するため、該複数のシート座体３４１に搭乗した利用者の体感効果を増加できる。
【００４７】
該シートユニット３４はさらに該シート座体３４１に設置された保護部材３４２を含む。好ましくは、該保護部材３４２はシートベルト部材であり、該シート座体３４１に搭乗した利用者を固定し、利用者が体感を体験しているとき安全に保護することができる。実際の実施時はその他の保護構造を使用してもよく、これに限らない。
【実施例３】
【００４８】
図５に本考案の異なる搭乗方向を有する体感装置の最良の実施例２を示す。該図６に本考案の異なる搭乗方向を有する体感装置の最良の実施例３を示す。該最良の実施例３と該最良の実施例２はほぼ同じであり、同じ箇所についてはここでは説明を省略する。異なるのは、該プラットフォーム座体３３１が円形を呈し、該複数のシート座体３４１が該プラットフォーム座体３３１の接線上にそれぞれ設置される点である。
【００４９】
該最良の実施例３において、該プラットフォーム座体３３１は該アクチュエーターモジュール（図示しない）上の円形鋼梁構造に設置され、該複数のシート座体３４１の数量は１２であり、該複数のシート座体３４１は該プラットフォーム座体３３１の外囲に平均的に設置され、その設置方向は該プラットフォーム座体３３１の中心方向に相反し、各シート座体３４１に１人の利用者が搭乗できる。実際の実施時、該複数のシート座体３４１の設置数量、及び各シート座体３４１の搭乗者数はこれに限らない。
【００５０】
本考案の考案者が強調したいのは次の点である。早期のスチュワートアクチュエータープラットフォームは主に一人の体感を模擬するために用いられ、一人が６つの自由度の体感効果を得ることができるようになっていたが、後に遊戯施設がプラットフォーム上に複数人で使用する座席を設置するようになり、早期の映像再生裝置が表示する画面は単一の画面であったため、複数の座席がすべて同じ方向、即ち再生画面の方向に向けられていたが、スチュワートアクチュエータープラットフォームの構造の制限により、各座席の体感を同じにすることができなかった。
【００５１】
映像再生技術の進歩に伴い、３６０度パノラマ映像の再生がさまざまな音響映像施設で広く運用されるようになった。パノラマ映像は３６０度の映像を提供できるため、本考案の複数のシート座体３４１は該プラットフォーム座体３３１の側辺に設置され、かつ該複数のシート座席の設置方向が該プラットフォーム座体３３１の中心方向と相反しており、体感効果をパノラマ画面と効果的に一致させ、利用者に斬新な感覚を提供する。
【００５２】
このほか、該複数のシート座体３４１を該プラットフォーム座体３３１の側辺に設置すると、体感装置全体の設置高さを効果的に低くすることができ、一般的なショッピングセンターの階層の高さに適合し、建築物自体の構造を変更する必要なく直接設置できるため、設置コストを効果的に節約することができる。
【００５３】
上述の説明及び図２から図６までから分かるように、本考案の異なる搭乗方向を有する体感装置は確実に次の効果を備えている。
【００５４】
一、体感度の増加：
梃子の原理に基づき、該シート座体３４１を該プラットフォーム座体３３１の外囲に設置し、該アクチュエーターモジュール３２１が該プラットフォーム座体３３１を制御して揺動させるとき、該複数のシート座体３４１の移動速度をより速くし、移動距離を増加して、該複数のシート座体３４１に搭乗した利用者の体感効果を高めることができる。
【００５５】
二、設置コストの抑制：
該複数のシート座体３４１を該プラットフォーム座体３３１の側辺に設置し、体感装置全体の設置高さを効果的に低くすることで、体感装置を床面または一般的な建築物の階層内に直接設置でき、また利用者が床面で直接該シート座体３４１に乗り込むことができ、高い台を設置して利用者を搭乗させる必要がなく、或いは地下空間を設置して該アクチュエーターモジュール３２１を収容することもでき、体感装置の設置コストを効果的に抑えることができる。
【００５６】
三、両足が宙に浮く：
上述を受け、体感装置を建築物の中に設置しても、該位置調整モジュール３５１で該シート座体３４１の高さを変え、該シート座体３４１に座った利用者の脚を宙に浮かせることができ、椅子の脚の高さを高くしたり、建築物の構造を変えたりしなくても、足を宙に浮かせる効果を達成することができる。
【００５７】
四、異なる感覚の体験：
該複数のシート座体３４１の設置方向が該プラットフォーム座体３３１の中心方向と相反し、該複数のシート座体３４１に座った利用者の視線方向が異なるため、該アクチュエーターモジュール３２１が該プラットフォーム座体３３１を制御して揺動を発生させたとき、各シート座体３４１が利用者に提供する体感効果が異なり、さらに該音響映像モジュール３６２を組み合わせ、各シート座体３４１が異なる音響映像効果を提供できるようにすることで、該複数のシート座体３４１に搭乗する利用者に異なる体感をさせることができる。
【００５８】
上述をまとめると、該複数のシート座体３４１の設置方向が該プラットフォーム座体３３１の中心方向と相反し、該複数のシート座体３４１を該プラットフォーム座体３３１の側辺に設置でき、かつ該音響映像モジュール３６２が異なる音響映像効果を提供できるため、該複数のシート座体３４１に搭乗した利用者の体感を向上することができる。かつ該プラットフォーム座体３３１を囲んで設置された複数のシート座体３４１が体感装置全体の設置高さを低くし、一般的な建築物の階層内に設置できるため、設置コストを効果的に抑えることができ、本考案の目的を確実に達成できる。
【００５９】
以上の説明は、本考案の３つの最良の実施例に基づくものであり、これらを以って本考案の実施の範囲を限定することはできず、本考案の請求の範囲及び明細書の内容に基づいた簡単な同等効果の変化や修飾はすべて本考案の請求範囲内に含まれる。
【符号の説明】
【００６０】
１１   ベース
１２   プラットフォーム
１３   アクチュエーター部材
１４   座席
３１   ベースユニット
３１１ ベース座体
３２   アクチュエーターユニット
３２１ アクチュエーターモジュール
３３   プラットフォームユニット
３３１ プラットフォーム座体
３４   シートユニット
３４１ シート座体
３４２ 保護部材
３５   位置調整ユニット
３５１ 位置調整モジュール
３６   コントロールユニット
３６１ 制御モジュール
３６２ 音響映像モジュール
３６３ メモリ部材
【図１】
0003217970.tif 000003
【図２】
0003217970.tif 000004
【図３】
0003217970.tif 000005
【図４】
0003217970.tif 000006
【図５】
0003217970.tif 000007
【図６】
0003217970.tif 000008